【事件の表示】
特許第２８４０２２５号「屋根の構造」の請求項１ないし２に係る特許に対する特許異議の申立てについて、次のとおり決定する。　
【結　論】
　訂正を認める。
　特許第２８４０２２５号の請求項１ないし２に係る特許を維持する。
【理　由】
I．手続きの経緯
　本件特許第２８４０２２５号に係る発明は、平成８年７月２６日に出願され、平成１０年１０月１６日にその特許の設定登録がされ、その後、平成１１年６月２３日に笠下義隆より、特許異議の申立てがなされ、平成１１年１０月１４日（起案日）に取消理由通知がなされ、その指定期間内である平成１１年１２月６日に特許異議意見書を提出と共に訂正請求がなされたものである。
II．訂正請求について
１．請求の趣旨及び訂正事項
　訂正請求の趣旨は、特許第２８４０２２５号発明の明細書を請求書に添付した明細書の通り訂正することを求めるものであり、そして、その訂正事項は、以下(１)〜(３)のとおりのものである。
(１)訂正事項ａ
　特許明細書の【特許請求の範囲】の【請求項１】を、
「【請求項１】　屋根の棟通りと、棟に平行して配置される桁方向トラスとが平面視で位置ずれしている屋根の構造において、桁方向トラスの両側部とこれと対向する桁梁との間に桁方向トラスと直角に妻方向トラスを架設し、桁方向トラスの両側に位置する妻方向トラスのうち一方の妻方向トラスが他方の妻方向トラスよりも長く、長い方の妻方向トラスの頂部で屋根の棟部分を支持して成ることを特徴とする屋根の構造。」と訂正する。
(２)訂正事項ｂ
　特許明細書の【０００６】【課題を解決するための手段】を、
「　【課題を解決するための手段】
　上記課題を解決するために本発明の屋根の構造は、屋根３の棟１通りと、棟１に平行して配置される桁方向トラス２とが平面視で位置ずれしている屋根の構造において、桁方向トラス２の両側部とこれと対向する桁梁６との間に桁方向トラス２と直角に妻方向トラス５を架設し、桁方向トラス２の両側に位置する妻方向トラス５のうち一方の妻方向トラス５ａが他方の妻方向トラス５ｂよりも長く、長い方の妻方向トラス５の頂部で屋根３の棟１部分を支持して成ることを特徴とするものである。このような構成とすることで、屋根の棟１通りと、棟１に平行して配置される桁方向トラス２とが平面視で位置ずれしていても、トラスにより屋根３の棟１部分を支持することができるものである。
　また、妻方向トラス５は平行して複数設けられ、各妻方向トラス５の頂部を母屋４で連結することが好ましい。このような構成とすることで、トラスによる屋根の支持構造の強度アップを図ることができるものである。」と訂正する。
（３）訂正事項ｃ
　特許明細書の【００１５】【発明の効果】を、
「　　【発明の効果】
　本発明の請求項１記載の発明にあっては、上述のように、屋根の棟通りと、棟に平行して配置される桁方向トラスとが平面視で位置ずれしている屋根の構造において、桁方向トラスの両側部とこれと対向する桁梁との間に桁方向トラスと直角に妻方向トラスを架設し、桁方向トラスの両側に位置する妻方向トラスのうち一方の妻方向トラスが他方の妻方向トラスよりも長く、長い方の妻方向トラスの頂部で屋根の棟部分を支持してあるので、桁方向トラスと屋根の棟通りとが平面視で位置ずれした場合であっても、小屋組はトラスによって構成することができ、構成が簡単で且つ施工性の向上を図ることができるものである。
　また、請求項２記載の発明にあっては、上記請求項１記載の発明の効果に加えて、妻方向トラスは平行して複数設けられ、各妻方向トラスの頂部を母屋で連結してあるので、トラスによる小屋組の強度アップが図れ、特に、棟部分における強度が向上するものである。」と訂正する。
２．訂正の要件の適否
２−１．訂正の目的の適否、新規事項の有無及び　拡張・変更の存否
　(１)訂正事項ａは、特許明細書の特許請求の範囲の請求項１に記載された「桁方向トラスの側方に桁方向トラスと直角に妻方向トラス連結配置し、該妻方向トラスの頂部で屋根の棟部分を支持して」を「桁方向トラスの両側部とこれと対向する桁梁との間に桁方向トラスと直角に妻方向トラスを架設し、桁方向トラスの両側に位置する妻方向トラスのうち一方の妻方向トラスが他方の妻方向トラスよりも長く、長い方の妻方向トラスの頂部で屋根の棟部分を支持して」とし、「妻方向トラス」をより具体的に限定して訂正するものであるから、特許請求の範囲の減縮を目的とするものと認められる。そして、訂正事項ａの「桁方向トラスの両側部とこれと対向する桁梁との間に桁方向トラスと直角に妻方向トラスを架設し、桁方向トラスの両側に位置する妻方向トラスのうち一方の妻方向トラスが他方の妻方向トラスよりも長く、長い方の妻方向トラスの頂部で屋根の棟部分を支持」することは、願書に添付した明細書の段落【０００９】、【００１１】及び【００１２】並びに【図１】及び【図２】に記載されていると認められ、訂正事項ａは、願書に添付した明細書又は図面に記載した事項の範囲内の訂正であるということができ、また、実質上特許請求の範囲を拡張し又は変更するものでもない。
　(２)訂正事項ｂ、ｃについては、それぞれ、特許請求の範囲の請求項１の訂正に伴い、特許請求の範囲の記載と発明の詳細な説明の記載との整合を図るための訂正であって、明りようでない記載の釈明を目的とし、また、上記(１)訂正事項ａについて述べたように、願書に添付した明細書又は図面に記載した事項の範囲内の訂正であるということができ、特許請求の範囲を拡張し又は変更するものでもない。
２−２．独立特許要件についての判断
　上記訂正事項ａにおいて、訂正後における特許請求の範囲の請求項１に記載されている事項により特定される発明は、後述する「III．特許異議申立てについて」の「４．対比・判断」でしたように、取消理由及び特許異議申立ての理由では、特許を受けることができないとすることができず、また、他に特許を受けることができないとする理由も発見できないから、特許出願の際独立して特許を受けることができるものである。
３．むすび
　以上のとおりであるから、上記訂正請求は、特許法第１２０条の４第２項及び同条第３項で準用する第１２６条第２項乃至第４項の規定に適合し、当該訂正は認められる。
III．特許異議申立てについて
１．本件請求項１、２に係る発明
　本件訂正明細書の請求項１、２に係る発明（以下、「本件請求項１、２に係る発明」という。）は、本件訂正請求書に添付された訂正明細書の特許請求の範囲の請求項１、２に記載された次のとおりのものである。
「【請求項１】　屋根の棟通りと、棟に平行して配置される桁方向トラスとが平面視で位置ずれしている屋根の構造において、桁方向トラスの両側部とこれと対向する桁梁との間に桁方向トラスと直角に妻方向トラスを架設し、桁方向トラスの両側に位置する妻方向トラスのうち一方の妻方向トラスが他方の妻方向トラスよりも長く、長い方の妻方向トラスの頂部で屋根の棟部分を支持して成ることを特徴とする屋根の構造。
　【請求項２】　妻方向トラスは平行して複数設けられ、各妻方向トラスの頂部を母屋で連結して成ることを特徴とする請求項１記載の屋根の構造。」
２．特許異議申立ての理由及び取消理由の概要
２−１．特許異議申立ての理由の概要
　特許異議申立人は、甲第１号証（特開昭６３−２６８８５６号公報）及び甲第２号証［実願平３−６５４６０号（実開平５−１０６１１号）のＣＤ−ＲＯＭ］を提出し、本件請求項１、２に係る発明は、甲第１、２号証記載の発明に基づいて当業者が容易に発明をすることができたものであるから、特許法第２９条第２項の規定により特許を受けることができないものであり、本件請求項１、２に係る発明の特許は取り消されるべきものである旨主張している。
２−２．取消理由の概要
　取消理由は、上記特許異議申立人が提出した甲第１号証を刊行物１、同甲第２号証を刊行物２として引用し、本件請求項１に係る発明は、刊行物１に記載された発明であるから、特許法第２９条第１項第３号に該当し、本件請求項１に係る発明の特許は、取り消されるべきものであり、また、本件請求項２に係る発明は、刊行物１、２記載の発明に基づいて当業者が容易に発明をすることができたものであるから、本件請求項２に係る発明の特許は、特許法第２９条第２項の規定に違反してなされたものである、とした。
３．甲第１、２号証（刊行物１、２）に記載の事項
　甲第１号証（刊行物１）には、
「本発明屋根の構造は、建物１の棟方向に一対の棟トラス２を棟芯を中心に線対称になるように間隔を隔てて平行に架設し、一対の棟トラス２間に棟トラス２と直交するように中央トラス９を架設し、棟と平行な外壁３の上端と棟トラス２の上端との間に屋根パネル７を架設すると共に中央トラス９の頂部と棟トラス２との間に屋根パネル７を架設して成ることを特徴とするもの」（第２頁左上欄第１〜８行及び第１図）及び
「中央トラス９の頂部で屋根の棟部分を支持していること」（第２図）という発明が記載され、
　甲第２号証（刊行物２）には、
「トラス組みされた合掌梁５が平行して複数設けられ、各合掌梁５の頂部を棟木３で連結している屋根の構造」（図３）という発明が記載されているものと認められる。
４．対比・判断
４−１．取消理由について
　本件請求項１に係る発明と刊行物１記載の発明とを比較すると、
　　刊行物１記載の発明の「棟芯」、「棟トラス」及び「中央トラス」は、本件請求項１に係る発明の「棟通り」、「桁方向トラス」及び「妻方向トラス」に相当しているから、
　本件請求項１に係る発明と刊行物１記載の発明とは、以下の点で相違しているが、その余の点では実質上一致していると認められる。
　相違点
　本件請求項１に係る発明は、桁方向トラスの両側に位置する妻方向トラスのうち一方の妻方向トラスが他方の妻方向トラスよりも長く、長い方の妻方向トラスの頂部で屋根の棟部分を支持しているのに対して、刊行物１記載の発明は、そのようになっていない点。
　そして、上記相違点における本件請求項１に係る発明の事項は、刊行物２にも、記載されておらず、本件請求項１に係る発明は、上記相違点における事項を構成要件とすることにより、「桁方向トラスと屋根の棟通りとが平面視で位置ずれした場合であっても、小屋組はトラスによって構成することができるものである。」（段落【００１５】【発明の効果】参照）という刊行物１、２記載の発明からは期待できない作用、効果を奏するものと認められる。
　よって、上記相違点により、本件請求項１に係る発明は、刊行物１記載の発明と同一とすることができないばかりでなく、刊行物１、２記載の発明に基づき、当業者が容易に発明することができたものとすることもできない。　
　また、本件請求項２に係る発明は、請求項１記載の発明を引用するものであるから、上記本件請求項１に係る発明に対して判断したとおり、刊行物１、２記載の発明に基づき、当業者が容易に発明することができたものとすることはできない。
　したがって、上記取消理由は、理由がないものとなったというべきである。
４−２．特許異議申立ての理由について
　本件請求項１、２に係る発明と甲第１、２号証、すなわち刊行物１、２記載の発明との対比・判断は、上記「４−１．取消理由について」でしたとおりである。
　したがって、本件請求項１、２に係る発明は、甲第１、２号証記載の発明に基づいて当業者が容易に発明できたものとすることはできず、特許異議申立ては、理由がないものであるというべきである。
５．むすび　
　以上のとおりであるから、取消理由及び特許異議申立ての理由並びに証拠方法によっては、本件請求項１、２に係る発明の特許を取り消すことはできない。
　また、他に本件請求項１、２に係る発明の特許を取り消すべき理由を発見しない。
　よって、結論のとおり決定する。
【異議決定日】
平成１２年１月２６日（２０００．１．２６）
【訂正の要旨】
　訂正の要旨は、以下のとおりである。
１．特許請求の範囲の減縮を目的として、特許明細書の【特許請求の範囲】の【請求項１】を、
「【請求項１】　屋根の棟通りと、棟に平行して配置される桁方向トラスとが平面視で位置ずれしている屋根の構造において、桁方向トラスの両側部とこれと対向する桁梁との間に桁方向トラスと直角に妻方向トラスを架設し、桁方向トラスの両側に位置する妻方向トラスのうち一方の妻方向トラスが他方の妻方向トラスよりも長く、長い方の妻方向トラスの頂部で屋根の棟部分を支持して成ることを特徴とする屋根の構造。」と訂正する。
２．特許明細書の【特許請求の範囲】の【請求項１】の訂正に伴い、その請求項１の記載と整合させ、明りようでない記載の釈明を目的として、
（１）特許明細書の【０００６】【課題を解決するための手段】を、
「　【課題を解決するための手段】
　上記課題を解決するために本発明の屋根の構造は、屋根３の棟１通りと、棟１に平行して配置される桁方向トラス２とが平面視で位置ずれしている屋根の構造において、桁方向トラス２の両側部とこれと対向する桁梁６との間に桁方向トラス２と直角に妻方向トラス５を架設し、桁方向トラス２の両側に位置する妻方向トラス５のうち一方の妻方向トラス５ａが他方の妻方向トラス５ｂよりも長く、長い方の妻方向トラス５の頂部で屋根３の棟１部分を支持して成ることを特徴とするものである。このような構成とすることで、屋根の棟１通りと、棟１に平行して配置される桁方向トラス２とが平面視で位置ずれしていても、トラスにより屋根３の棟１部分を支持することができるものである。
　また、妻方向トラス５は平行して複数設けられ、各妻方向トラス５の頂部を母屋４で連結することが好ましい。このような構成とすることで、トラスによる屋根の支持構造の強度アップを図ることができるものである。」と訂正する。
（２）特許明細書の【００１５】【発明の効果】を、
「　　【発明の効果】
　本発明の請求項１記載の発明にあっては、上述のように、屋根の棟通りと、棟に平行して配置される桁方向トラスとが平面視で位置ずれしている屋根の構造において、桁方向トラスの両側部とこれと対向する桁梁との間に桁方向トラスと直角に妻方向トラスを架設し、桁方向トラスの両側に位置する妻方向トラスのうち一方の妻方向トラスが他方の妻方向トラスよりも長く、長い方の妻方向トラスの頂部で屋根の棟部分を支持してあるので、桁方向トラスと屋根の棟通りとが平面視で位置ずれした場合であっても、小屋組はトラスによって構成することができ、構成が簡単で且つ施工性の向上を図ることができるものである。
　また、請求項２記載の発明にあっては、上記請求項１記載の発明の効果に加えて、妻方向トラスは平行して複数設けられ、各妻方向トラスの頂部を母屋で連結してあるので、トラスによる小屋組の強度アップが図れ、特に、棟部分における強度が向上するものである。」と訂正する。
（５４）【発明の名称】
屋根の構造
（５７）【特許請求の範囲】
　【請求項１】　屋根の棟通りと、棟に平行して配置される桁方向トラスとが平面視で位置ずれしている屋根の構造において、
桁方向トラスの両側部とこれと対向する桁梁との間に桁方向トラスと直角に妻方向トラスを架設し、桁方向トラスの両側に位置する妻方向トラスのうち一方の妻方向トラスが他方の妻方向トラスよりも長く、長い方の
　【請求項２】　妻方向トラスは平行して複数設けられ、各妻方向トラスの頂部を母屋で連結して成ることを特徴とする請求項１記載の屋根の構造。
【発明の詳細な説明】
　【発明の属する技術分野】
　本発明は、屋根の棟通りと、棟に平行して配置される桁方向トラスとが平面視で位置ずれしている屋根の構造に関するものである。
　【従来の技術】
　従来にあっては、桁方向のトラスは棟通りに位置しているのが一般的であった。つまり、妻方向の中央位置（妻方向の長さの１／２位置）を通るように棟通りが設定され、この棟通りに桁方向のトラスが位置するようにしていた。
　一例を上げると、建物の基本モジュールをＰとし、例えば妻方向の長さを基本モジュールの６倍の６Ｐとした場合、妻方向において両側に３Ｐずつスパン割りをした中央位置に棟通りが設定され、この棟通りに桁方向トラスが一致するように配置されるようにしていた。
　そして、妻方向の長さが基本モジュールの６倍の６Ｐとし、妻方向において例えば両側に２Ｐと４Ｐとにスパン割りをしたとすると、桁方向トラスは中央柱通りの上である両側に２Ｐと４Ｐとにスパン割りした位置に位置するので、棟通りもこの位置に合わせると、屋根の両側における長さが異なってしまい、外観上のバランスが悪くなるという問題がある。同様に、妻方向の長さが基本モジュールの７倍の７Ｐの場合、妻方向において例えば両側に３Ｐと４Ｐとにスパン割りしたとすると、棟トラスは中央柱通りの上である両側に３Ｐと４Ｐとにスパン割りした位置に位置するので、棟通りもこの位置に合わせると、屋根の両側における長さが異なってしまい、外観上のバランスが悪くなるという問題がある。
　そして、この外観上のバランスが悪くなるのを回避するには屋根の棟通りと、棟に平行して配置される桁方向トラスとが平面視で位置ずれさせる必要があるが、この場合、中央柱通りに位置する桁方向トラスから離れた位置において屋根の棟を支持するために別の柱、棟梁、束等を設けて支持する必要があり、屋根を支持する構造が複雑となるという問題がある。
　【発明が解決しようとする課題】
　本発明は上記の従来例の問題点に鑑みて発明したものであって、屋根の棟通りと、棟に平行して配置される桁方向トラスとが平面視で位置ずれしている屋根においても、トラスにより簡単に小屋組ができて屋根を支持できる屋根の構造を提供することを課題とするものである。
　【課題を解決するための手段】
　上記課題を解決するために本発明の屋根の構造は、屋根３の棟１通りと、棟１に平行して配置される桁方向トラス２とが平面視で位置ずれしている屋根の構造において、
桁方向トラス２の両側部とこれと対向する桁梁６との間に桁方向トラス２と直角に妻方向トラス５を架設し、桁方向トラス２の両側に位置する妻方向トラス５のうち一方の妻方向トラス５ａが他方の妻方向トラス５ｂよりも長く、長い方の
　また、妻方向トラス５は平行して複数設けられ、各妻方向トラス５の頂部を母屋４で連結することが好ましい。このような構成とすることで、トラスによる屋根の支持構造の強度アップを図ることができるものである。
　【発明の実施の形態】
　以下、本発明を添付図面に示す実施形態に基づいて説明する。図１には本発明の一実地形態の屋根３の平面図が示してあり、図２、図３はそれぞれ図１のＸーＸ線、ＹーＹ線の断面図が示してあり、図４には本発明の小屋伏図が示してあり、図５には屋根３を構成する屋根パネル１１の屋根伏図が示してある。本実施形態において、建物の基本モジュールをＰとした場合、図４に示す実施形態においては、妻方向の長さが基本モジュールの７倍の７Ｐの例が示してある。そして、中央柱通りに配置される桁方向トラス２は３Ｐと４Ｐのスパン割りとなる位置、つまり、妻方向の一方の端部から３Ｐ、他方の妻方向の端部から４Ｐの位置に中央柱通りが位置し、この中央柱通りに桁方向トラス２が配置されるものである。図中２０は梁であって、中央柱通りに配置してあり、この梁２０に束１０が立設され、束１０間に桁方向トラス２が掛け渡されて連結してある。
　そして、桁方向トラス２（又は桁方向トラス２間に位置する束１０）の両側部とこれに対向する桁梁６との間には桁方向トラス２と直角に複数の妻方向トラス５が架設してある。妻方向トラス５は図２に示す実施形態においては、三角形状をしており、下弦材１２の両端部をそれぞれ桁方向トラス２の下端部又は束１０の下端部に取付けた連結金具７と桁梁６の上端面部に取付けた連結金具８の突片８ｂとに載置してボルトにより取付けてある。桁方向トラス２の両側に位置する妻方向トラス５のうち、一方の妻方向トラス５ａは他方の妻方向トラス５ｂよりも長くなっている。
　この三角形状をした妻方向トラス５のうち、長い方の妻方向トラス５ａは頂部に棟支持金具９を設けてあり、この棟支持金具９を設けた位置が屋根の棟１の位置となるように三角形状をした妻方向トラス５ａの頂部の位置を設定してある。すなわち、添付図面に示す実施形態においては、棟１通りが妻方向の一方の端部から３．５Ｐ、他方の妻方向の端部から３．５Ｐの位置に位置するように、妻方向トラス５ａを架設した状態で該妻トラス５ａの頂部の位置を設定してある。
　屋根３を構成する屋根パネル１１のうち、棟１通りを境にして一方側の屋根パネル１１は棟側端部を長さの長い方の妻方向トラス５ａの頂部に設けた棟支持金具９の片側半部に載置してボルトにより接合すると共に、該屋根パネル１１の他の部分を長さの長い方の妻方向トラス５ａに設けた支持金具１３と、桁梁６の上端面に設けた連結金具８のパネル載置部８ａとに載置してボルトにより接合することで取付けるものである。
　また、屋根３を構成する屋根パネル１１のうち棟１通りを境にして他方側の屋根パネル１１は棟側端部を長さの長い方の妻方向トラス５ａの頂部に設けた棟支持金具９の他の片側半部に載置してボルトにより接合すると共に、該屋根パネル１１の他の部分を桁方向トラス２（又は桁方向トラス２間に位置する束１０）の頂部に設けた支持金具１４と、長さの短い方の妻方向トラス５ａに設けた支持金具１３と、桁梁６の上端面に設けた連結金具８のパネル載置部８ａとに載置してボルトにより接合することで取付けるものである。
　上記のようにして棟１通りを境にして両側の屋根パネル１１を取付けるものであり、このようにすることで、桁方向トラス５と棟１通りとが妻方向にずれていても、棟１通りにおいて両側の屋根パネル１の棟側端部を妻方向トラス５ａの頂部において確実に支持することができるものである。
　ここで、図３に示すように、隣合う平行して設けられた妻方向トラス５の頂部を母屋４で連結してある。すなわち、妻方向トラス５の頂部に母屋受け金具１６を取付け、この母屋受け金具１６に母屋４の端部を載置してボルトにより接合することで母屋４を取付けてある。母屋４は上記のように妻方向トラス５の頂部同士を連結するだけでなく、母屋４の上に棟載置部４ａを設けて棟１の両側に配置した各屋根パネル１１の棟側端部を棟載置部４ａに載置してボルトにより接合することで、隣合う妻方向トラス５間の間隔が広くても屋根パネル１１の棟側端部の支持が密にできるものであり、例えば、隣合う妻方向トラス５間の間隔が２Ｐ以上であっても、屋根パネル１１の棟側端部を１Ｐのピッチで支持することができるものである。このように、棟１通りに位置して屋根３の棟１部分を支持する妻方向トラス５ａの頂部を母屋４で連結することで、トラスによる屋根の支持構造の強度アップを図ることができるのである。
　上記実施形態においては、妻方向の長さが基本モジュールの７倍の７Ｐで、屋根の棟通りと、棟に平行して配置される桁方向トラスとが平面視で位置ずれしている例につき説明したが、必ずしもこの実施形態にのみ限定されるものではなく、屋根の棟通りと、棟に平行して配置される桁方向トラスとが平面視で位置ずれしている屋根であれば、本発明を適用できるのは勿論である。
　【発明の効果】
　本発明の請求項１記載の発明にあっては、上述のように、屋根の棟通りと、棟に平行して配置される桁方向トラスとが平面視で位置ずれしている屋根の構造において、
桁方向トラスの両側部とこれと対向する桁梁との間に桁方向トラスと直角に妻方向トラスを架設し、桁方向トラスの両側に位置する妻方向トラスのうち一方の妻方向トラスが他方の妻方向トラスよりも長く、長い方の
　また、請求項２記載の発明にあっては、上記請求項１記載の発明の効果に加えて、妻方向トラスは平行して複数設けられ、各妻方向トラスの頂部を母屋で連結してあるので、トラスによる小屋組の強度アップが図れ、特に、棟部分における強度が向上するものである。
【図面の簡単な説明】
　【図１】
　本発明の屋根の平面図である。
　【図２】
　図１のＸ−Ｘ線断面図である。
　【図３】
　図１のＹ−Ｙ線断面図である。
　【図４】
　同上の小屋伏図である。
　【図５】
　同上の屋根伏図である。
　【符号の説明】
　１　棟
　２　桁方向トラス
　３　屋根
　４　母屋
　５　妻方向トラス